(57)【要約】【課題】記録実行動作の長時間停止に基づく問題或いは記録後に熟成時間を要する場合の問題を解決することにある。【解決手段】被記録材Ｐに記録を実行する記録実行部２５と、前記記録実行部の動作を制御する制御部４３とを備え、前記制御部４３は、ユーザーが各記録ジョブデータ４７についての記録終了時刻Ｔ２を入力可能に構成されており、前記記録終了時刻Ｔ２が入力されたときは、該記録終了時刻Ｔ２に記録を終了することを優先する終了時刻優先モード５０で記録が実行されるように構成されている。前記制御部４３は、前記記録終了時刻Ｔ２が入力されない場合に実行される通常記録モード４９を備えている。【選択図】図２
2012213990.tif 000002
【特許請求の範囲】
【請求項１】
被記録材に記録を実行する記録実行部と、
前記記録実行部の動作を制御する制御部と、を備え、
前記制御部は、
ユーザーが各記録ジョブデータについての記録終了時刻を入力可能に構成されており、
前記記録終了時刻が入力されたときは、該記録終了時刻に記録を終了することを優先する終了時刻優先モードで記録が実行されるように構成されていることを特徴とする記録装置。
【請求項２】
請求項１に記載された記録装置において、
前記制御部は、前記記録終了時刻が入力されない場合に実行される通常記録モードの他に前記終了時刻優先モードを備えていることを特徴とする記録装置。
【請求項３】
請求項２に記載された記録装置において、
前記終了時刻優先モードは、記録完了に要する時間が長い低速記録モードと、記録完了に要する時間が短い高速記録モードと、を備え、
前記制御部は、前記入力された記録終了時刻に基づいて前記低速記録モードと前記高速記録モードを切り換えて実行するように構成されていることを特徴とする記録装置。
【請求項４】
請求項２又は３に記載された記録装置において、
前記制御部は、記録ジョブデータのデータ容量とユーザーの設定情報とに基づいて前記通常記録モードで当該記録ジョブデータの記録を実行すると、ユーザーの入力した記録終了時刻よりも早く記録が終了する場合に、記録完了に要する時間を長くする終了時刻優先モードで記録を実行するように構成されていることを特徴とする記録装置。
【請求項５】
請求項２又は３に記載された記録装置において、
前記制御部は、記録ジョブデータのデータ容量とユーザーの設定情報とに基づいて前記通常記録モードで当該記録ジョブデータの記録を実行すると、ユーザーの入力した記録終了時刻よりも遅く記録が終了する場合に、記録完了に要する時間を短くする終了時刻優先モードで記録を実行するように構成されていることを特徴とする記録装置。
【請求項６】
請求項１から５のいずれか一項に記載された記録装置において、
前記制御部は、記録完了に要する時間の長い記録モードと、記録完了に要する時間の短い記録モードと、前記両モードの間の処理速度で記録を実行する中間記録モードと、を備えていることを特徴とする記録装置。
【発明の詳細な説明】
【技術分野】
【０００１】
本発明は、被記録材の被記録面に記録を実行する記録実行部と、該記録実行部の動作を制御する制御部と、を備えた記録装置に関するものである。
【背景技術】
【０００２】
従来の記録装置は、パーソナルコンピューター等のクライアントマシンから送信された記録ジョブデータ（以下「印刷ジョブデータ」とも言う）を受信したら記録を実行し、「先の記録ジョブデータ」の記録実行中に「次の記録ジョブデータ」が送られたときは、それを蓄積し、「先の記録ジョブデータ」についての記録が終了した後に、「次の記録ジョブデータ」についての記録を開始するようになっている。  
【０００３】
しかし、「次の記録ジョブデータ」がしばらく送られない場合は、記録装置は記録実行動作が長時間停止した状態に置かれる。この場合、前記停止中に所定時間毎に、また次の記録ジョブデータが送られたときに記録実行に先立ってウォーミングアップ動作が実施され、インクを無駄に消費していた。
【０００４】
また、夜間は停止して朝起動すると、その起動立ち上げ時のウォーミングアップ動作に長い時間を要し、その結果記録開始待ち時間が長くなり、またインクも無駄に消費することになっていた。  
また、寒冷地で使用される場合は、停止時間が長いとインクを含めて記録装置全体が温暖地よりもかなり低温になり、その分、起動立ち上げ時のウォーミングアップ動作に一層長時間を要し、また一層インクの無駄を増やすことになっていた。
【０００５】
また、用いるインクの種類と被記録材の種類の組合せによっては、記録終了後に記録物を対候性確保のために一定時間置いて熟成させる必要のあるものがある。この場合、その記録物を屋外に持ち出して使用する時刻が迫っている場合は、通常の記録動作では時間的に間に合わないことになる。
【０００６】
上記問題は、用紙サイズがＡ判でＡ２（420ｍｍ×594ｍｍ）以上、Ｂ判でＢ３（364ｍｍ×515ｍｍ）以上の被記録材に記録を行える大型の記録装置において、特に顕著に現れる。
【０００７】
この種記録装置の従来技術として下記の特許文献１と特許文献２が一例として挙げられる。特許文献１には、ドットカウント等によって、印刷する時間とインク消費量とを算出し、インク切れが起きると判断された文書の印刷開始時刻を変更したり、印刷を中止するようにしたプリンターシステムが開示されている。  
また、特許文献２には、クライアントマシンから送信される印刷ジョブデータに予約印刷時刻を含め、当該予約印刷時刻に応じて記録実行タイミングを設定するようにしたプリンターが開示されている。
【先行技術文献】
【特許文献】
【０００８】
【特許文献１】特開２０１０−２０１７０８号公報
【特許文献２】特開２００７−４８３０３号公報
【発明の概要】
【発明が解決しようとする課題】
【０００９】
上記従来の問題、すなわち長時間停止に基づく問題或いは記録後に熟成時間を要する場合の問題は、記録終了時刻をユーザーが設定できるようにすることで解決できることを本発明者が見出した。  
前記特許文献１と特許文献２には、前記問題に対し、記録終了時刻の設定という視点からの対処については、全く記載されていないし、示唆もない。
【００１０】
本発明の目的は、記録実行動作の長時間停止に基づく問題或いは記録後に熟成時間を要する場合の問題を解決することにある。
【課題を解決するための手段】
【００１１】
本発明に係る記録装置の第１の態様は、被記録材に記録を実行する記録実行部と、前記記録実行部の動作を制御する制御部とを備え、前記制御部は、ユーザーが各記録ジョブデータについての記録終了時刻を入力可能に構成されており、前記記録終了時刻が入力されたときは、該記録終了時刻に記録を終了することを優先する終了時刻優先モードで記録が実行されるように構成されていることを特徴とするものである。  
ここで、「終了時刻優先モード」とは、記録装置がデフォルトで備えている記録品質での記録を実行するための通常記録モードに代えて、ユーザーが入力した記録終了時刻に記録を終了できるように記録速度を変えて記録完了に要する時間を長く又は短くして記録を実行する記録モードを意味する。
【００１２】
本態様によれば、前記制御部は、ユーザーによって記録終了時刻が入力されたときは、該記録終了時刻に記録を終了することを優先する終了時刻優先モードで記録が実行されるように構成されている。従って、その記録終了時刻まで記録装置は稼動状態を継続することになり、記録実行動作の停止状態が長時間続く事態の発生を防止することが可能になる。
【００１３】
これにより、記録実行動作の停止中に所定時間毎に、また次の記録ジョブデータが送られたときに記録実行に先立ってウォーミングアップ動作が実施され、インクを無駄に消費する問題を軽減することができる。また、夜間は停止して朝起動する場合の起動立ち上げ時のウォーミングアップ動作に長い時間を要していた問題、更に寒冷地においてはインクを含めて記録装置が低温化する問題を軽減することが可能になる。  
また、記録後に熟成時間を要する場合にも対処することができる。
【００１４】
本発明に係る記録装置の第２の態様は、前記第１の態様において、前記制御部は、前記記録終了時刻が入力されない場合に実行される通常記録モードの他に前記終了時刻優先モードを備えていることを特徴とするものである。
【００１５】
本態様によれば、記録終了時刻を設定しない通常の記録と、記録終了時刻を設定した記録の終了時刻を優先した記録をユーザーが切り換えて使用できるので、使い勝手がよい。
【００１６】
本発明に係る記録装置の第３の態様は、前記第２の態様において、前記終了時刻優先モードは、記録完了に要する時間が長い低速記録モードと、記録完了に要する時間が短い高速記録モードとを備え、前記制御部は、前記入力された記録終了時刻に基づいて前記高速記録モードと前記低速記録モードを切り換えて実行するように構成されていることを特徴とするものである。
【００１７】
本態様によれば、前記終了時刻優先モードは低速記録モードと高速記録モードとを備えており、前記制御部は、前記入力された記録終了時刻に基づいて前記低速記録モードと前記高速記録モードを切り換えて実行するように構成されている。従って、ユーザーが記録終了時刻を入力したときにレスポンス良く効果的に対応することができる。  
低速記録モードと高速記録モードのそれぞれについて、記録完了に要する時間を段階的に異ならせた複数のモードを有する構成とすれば、一層効果的に対応することができる。
【００１８】
本発明に係る記録装置の第４の態様は、前記第２の態様又は第３の態様において、前記制御部は、記録ジョブデータのデータ容量とユーザーの設定情報とに基づいて前記通常記録モードで当該記録ジョブデータの記録を実行すると、ユーザーの入力した記録終了時刻よりも早く記録が終了する場合に、記録完了に要する時間を長くする終了時刻優先モードで記録を実行するように構成されていることを特徴とするものである。
【００１９】
本態様によれば、通常記録モードに従って記録を実行すると、ユーザーの希望する記録終了時刻よりも早く記録の実行が終了してしまって、前記記録終了時刻まで長時間に亘って記録実行部の動作を停止しなければならないという事態が防止される。
【００２０】
本発明に係る記録装置の第５の態様は、前記第２の態様または第３の態様において、前記制御部は、記録ジョブデータのデータ容量とユーザーの設定情報とに基づいて前記通常記録モードで当該記録ジョブデータの記録を実行すると、ユーザーの入力した記録終了時刻よりも遅く記録が終了する場合に、記録完了に要する時間を短くする終了時刻優先モードで記録を実行するように構成されていることを特徴とするものである。
【００２１】
上記したように、用いるインクの種類と被記録材の種類の組合せによっては、記録終了後に記録物を対候性確保のために一定時間置いて熟成させる必要のあるものがある。この場合、その記録物を屋外に持ち出して使用する時刻が迫っている場合は、通常の記録動作では時間的に間に合わないことになる。  
本態様によれば、このような場合に対処することができる。
【００２２】
本発明に係る記録装置の第６の態様は、前記第１の態様から第５の態様のいずれか一つの態様において、前記制御部は、記録完了に要する時間の長い記録モードと、記録完了に要する時間の短い記録モードと、前記両モードの間の処理速度で記録を実行する中間記録モードと、を備えていることを特徴とするものである。
【００２３】
本態様によれば、個々の記録ジョブデータの記録の実行に要する処理時間をより細かく調整できるようになり、ユーザーの希望する記録終了時刻に合わせて最適な処理速度の記録モードを選択できるようになる。
【図面の簡単な説明】
【００２４】
【図１】本発明の実施例１に係る記録装置の概略構成を示す側断面図。
【図２】本発明の実施例１に係る記録装置の制御部の構成と、該制御部での制御内容を示すブロック図。
【図３】本発明の実施例１に係る記録装置を使用して低速記録モードを選択して記録を実行する場合の流れを示すフローチャート。
【図４】本発明の実施例１に係る記録装置を使用して高速記録モードを選択して記録を実行する場合の流れを示すフローチャート。
【図５】本発明の実施例２に係る記録装置の制御部の構成と、該制御部での制御内容を示すブロック図。
【発明を実施するための形態】
【００２５】
以下、図１から図４に示す実施例１と、図５に示す実施例２に基づいて、本発明の記録装置１の構成と作動態様について具体的に説明する。最初に、図１に基づいて本発明の記録装置１の基本的な構成について説明し、その後、前記実施例１と実施例２に基づいて本発明の記録装置１の特徴的構成について説明する。
【００２６】
図１に本発明の記録装置１の概略構成が、大型のインクジェットプリンター１（記録装置と同じ符号を使用する）を例にとって図示されている。このインクジェットプリンター１は、下端部に移動用のキャスター１５を一例として有する側面視逆Ｔ字形の支持フレーム１７を対向するように左右両端部に備えている。  
前記支持フレーム１７の上部には、記録装置本体の一例であるプリンター本体１９が設けられている。該プリンター本体１９の内部には、被記録材（以下、一般的に使用する場合には用紙Ｐ、後述するロール紙ホルダー３にセットされるロール状に巻かれた状態のものをロール紙Ｒともいう）の被記録面に記録を実行する記録実行部の一例である記録ヘッド２５と、該記録ヘッド２５による記録開始時刻Ｔ１と記録終了時刻Ｔ２とを管理できる計時部４１と、前記記録ヘッド２５の動作を制御する制御部４３と、が設けられている。
【００２７】
尚、前記計時部４１は、計時部４１自体に時計としての機能を備えているものであってもよいし、クライアントマシンとなるパーソナルコンピューターや電話線その他のネットワーク経由で時間を取得するものであってもよい。該計時部４１は現在時刻又は経過時間を管理し、制御部４３での制御実行に際して時間データを必要とする場合に、その時間データを提供する役割を成すものである。  
更に、前記プリンター本体１９の内部には、前記記録ヘッド２５を一例として下面に搭載してキャリッジガイド軸２１に沿って用紙Ｐの搬送方向Ａと交差する幅方向に往復移動可能なキャリッジ２３が配設されている。  
また、前記キャリッジ２３の下方には、前記記録ヘッド２５の下面から所定のギャップＰＧを隔てて用紙Ｐを支持する支持部材２７が設けられている。
【００２８】
また、前記記録ヘッド２５と支持部材２７が設けられている記録実行領域の搬送方向Ａの上流位置には、一対のニップローラーによって構成されている搬送用ローラー２９が設けられている。  
また、前記搬送用ローラー２９の搬送方向Ａの上流位置には、ロール紙Ｒを繰り出し可能に保持する軸部１３とフランジ部９とを備えたロール紙ホルダー３が前記支持フレーム１７から延びるサブフレーム３５によって支持されて設けられている。  
この他、前記記録実行領域の搬送方向Ａの下流位置には、記録が実行された用紙Ｐを巻き取る巻取り装置３７が前記支持フレーム１７から前記サブフレーム３５と逆方向に延びるサブフレーム３６によって支持されて設けられている。
【００２９】
［実施例１］（図１から図４参照）
また、実施例１に係るインクジェットプリンター１Ａにあっては、被記録材Ｐに記録を実行する記録実行部（記録ヘッド）２５と、記録実行部２５の動作を制御する制御部４３とを備えている。そして、前記制御部４３は、ユーザーが希望する記録の終了時刻Ｔ２、すなわち各印刷ジョブデータ４５についての記録終了時刻（以下、「印刷終了時刻」とも言う）Ｔ２を入力可能に構成されており、該記録終了時刻Ｔ２が入力されたときは、該記録終了時刻Ｔ２に記録を終了することを優先する終了時刻優先モード５０で記録が実行されるように構成されている。  
前記制御部４３は、本実施例では更に、記録終了時刻Ｔ２が入力されない場合に実行される通常記録モード（以下、「通常印刷モード」とも言う）４９が前記終了時刻優先モード５０とは別に設けられている。
【００３０】
更に具体的に説明すると、通常印刷モード４９、印刷ジョブデータ４５の受信の順番でユーザーの設定情報４７（設定情報の中身は後述する）に基づいて、印刷終了時刻Ｔ２とは無関係に記録を実行する動作モードである。また、本実施例では、前記終了時刻優先モード５０は、記録完了に要する処理時間ｔの長い低速記録モード（以下「低速印刷モード」とも言う）５３と、記録完了までに要する処理時間ｔの短い高速記録モード（以下「高速印刷モード」とも言う）５１と、を備える構成になっている。
【００３１】
このように、前記終了時刻優先モード５０が低速印刷モード５３と高速印刷モード５１とを予め備える構成にすることによって、ユーザーが印刷終了時刻Ｔ２を入力したときにレスポンス良くいずれかのモードで記録が開始されるようになっている。  
本実施例では、低速印刷モード５３と高速印刷モード５１のそれぞれについて、印刷完了に要する時間を段階的に異ならせた複数のモード（図示せず）を有する構成になっている。  
【００３２】
尚、前記終了時刻優先モード５０は、本実施例のように、予め低速印刷モード５３と高速印刷モード５１とを備える構成ではなく、ユーザーが印刷終了時刻Ｔ２を入力したときに、その都度、制御部４３の演算部（図示せず）において、前記印刷終了時刻Ｔ２に印刷を終えるための対応する印刷モードを演算して設定する構成であっても勿論よい。  
ここで、「印刷終了時刻Ｔ２に印刷を終える」とは、厳密にその時刻Ｔ２丁度に終了する必要はなく実効性を保てる範囲で幅を有する意味で使われている。
【００３３】
そして、前記制御部４３は、印刷ジョブデータ４５のデータ容量とユーザーの設定情報４７とに基づいて前記通常印刷モード４９で当該印刷ジョブデータ４５の印刷を実行すると、ユーザーの入力した印刷終了時刻Ｔ２よりも早く印刷が終了する場合に、印刷完了に要する時間を長くする終了時刻優先モード５０として前記低速印刷モード５３を選択して印刷を実行するように構成されている。  
これにより、ユーザーの希望する印刷終了時刻Ｔ２よりも早く印刷の実行が終了してしまって、前記印刷終了時刻Ｔ２まで長時間に亘って記録実行部２５の動作を停止しなければならないという事態が防止されるようになっている。
【００３４】
一方、前記制御部４３は、印刷ジョブデータ４５のデータ容量とユーザーの設定情報４７とに基づいて前記通常印刷モード４９で当該印刷ジョブデータ４５の印刷を実行すると、ユーザーの入力した印刷終了時刻Ｔ２よりも遅く印刷が終了する場合に、印刷完了に要する時間を短くする終了時刻優先モード５０として前記高速印刷モード５１を選択して印刷を実行するように構成されている。  
通常、用いるインクの種類と被記録材の種類の組合せによっては、印刷終了後に印刷物を対候性確保のために一定時間待機させて熟成させる必要のあるものがある。この場合、その印刷物を屋外に持ち出して使用する時刻が迫っている場合は、通常の記録動作モードでは時間的に間に合わないことになる。本実施例によれば、このような場合に対処することができる。
【００３５】
次に、前記設定情報４７には、記録の実行に際してユーザーが設定する用紙Ｐの紙種やサイズあるいは印刷枚数に関する情報、モノクロ２階調、グレートーン、ＣＭＹＫフルカラー等の色や、色補正に関する情報及び、粗い、高精細、写真品質等画質に関する情報等が含まれる。  
また、前記印刷ジョブデータ４５のデータ容量には、前記設定情報４７とは別にデータ自体が持っているデータサイズ、解像度、色のかけ合わせ等に関する情報が含まれ、該情報に基づいて算出されるデータの大きさを「データ容量」と定義する。
【００３６】
また、前記ユーザーの希望する印刷終了時刻Ｔ２の指定の仕方については、前記計時部４１によって管理されている具体的な時刻に基づいて何時何分というように絶対的な時間を指定してもよいし、印刷ジョブデータ４５を受信してから何時間何分後というように相対的な時間を指定してもよい。  
そして、前記印刷終了時刻Ｔ２を指定するタイミングは、一般に前記設定情報４７の入力時となる。
【００３７】
次に、図３、図４に示すフローチャートに基づいて、（１）低速印刷モードを選択して印刷を実行する場合と、（２）高速印刷モードを選択して印刷を実行する場合に分けて、前記制御部４３による制御の流れを具体的に説明する。
【００３８】
（１）低速印刷モードを選択して印刷を実行する場合（図３参照）
例えば、ユーザーが残業して深夜に帰宅する時点で、未だ翌日使われる印刷物の全部の印刷が終わっていないが、残りの印刷は通常印刷モードでは３〜４時間で終わると感じる場合、ユーザーが印刷終了時刻Ｔ２として朝の出勤時刻を入力する。これにより、夜中に印刷が終わり、その後朝まで長時間に亘って記録動作が停止する事態の発生を防止することができる。いか、図４に基づいて具体的に説明する。
【００３９】
先ず、ステップＳ１において、前記印刷ジョブデータ４５のデータ容量とユーザーの設定情報４７とに基づいて通常印刷モード４９で印刷を実行した時の印刷完了に必要な処理時間ｔを算出する。  
次に、ステップＳ２において、ユーザーが入力したユーザーの希望する当該印刷ジョブデータ４５の印刷終了時刻Ｔ２を取得する。
【００４０】
次に、ステップＳ３に移行して前記ステップＳ１で算出した処理時間ｔと、前記ステップＳ２で取得した印刷終了時刻Ｔ２とを比較し、ステップＳ４で前記処理時間ｔによれば、前記印刷終了時刻Ｔ２よりも早く記録の実行が終了するか否かの判断が行われる。
【００４１】
そして、ステップＳ４で印刷終了時刻Ｔ２よりも早く記録の実行が終了すると判断された場合には、ステップＳ５に移行して最適な低速印刷モード５３が選択され、前記通常印刷モード４９の処理時間ｔよりも長い処理時間で記録が実行され、前記ユーザーの出勤時刻まで記録が継続される。  
従って、当該低速印刷モード５３によって印刷ジョブデータ４５の記録の実行後、長時間にわたって記録ヘッド２５の動作の停止した状態の発生が防止される。
【００４２】
一方、前記ステップＳ４で印刷終了時刻Ｔ２よりも早く記録の実行が終了しないと判断された場合には、ステップＳ６に移行し、前記処理時間ｔにより印刷終了時刻Ｔ２と同じタイミングで記録の実行が終了する場合には通常印刷モード４９で、また前記印刷終了時刻Ｔ２よりも遅く記録の実行が終了する場合には後述する高速記録モード５１がそれぞれ選択されて記録の実行が行われるようになっている。  
ステップＳ６は、ユーザーが感じる印刷に要する時間が不正確な場合もあることから用意されている工程である。このステップＳ６はあくまでユーザーの入力した印刷終了時刻Ｔ２に印刷を終えることを重視するものであるが、記録装置の停止時間の発生防止を重視する観点に立てば、ユーザーの入力した印刷終了時刻を無視して通常印刷モード４９で記録を実行してもよい。
【００４３】
（２）高速印刷モードを選択して印刷を実行する場合（図４参照）
例えば、ユーザーの希望する印刷終了時刻Ｔ２まで残り時間が少なく、通常印刷モード４９で記録を実行すると、前記印刷終了時刻Ｔ２に間に合わない場合である。この場合に印刷終了時刻Ｔ２が入力されると高速印刷モード５１が選択される。
【００４４】
先ず、ステップＳ７において、前記印刷ジョブデータ４５のデータ容量とユーザーの設定情報４７とに基づいて通常印刷モード４９で印刷を実行した時の印刷完了に必要な処理時間ｔを算出する。  
次に、ステップＳ８において、ユーザーが入力したユーザーの希望する当該印刷ジョブデータ４５の印刷終了時刻Ｔ２を取得する。
【００４５】
次に、ステップＳ９に移行して前記ステップＳ７で算出した処理時間ｔと、前記ステップＳ８で取得した印刷終了時刻Ｔ２とを比較し、ステップＳ１０で前記処理時間ｔによれば、前記印刷終了時刻Ｔ２よりも遅く印刷が終了するか否かの判断が行われる。
【００４６】
ステップＳ１０で印刷終了時刻Ｔ２よりも遅く記録の実行が終了すると判断された場合には、ステップＳ１１に移行して最適な高速印刷モード５１が選択され、ユーザーの設定した設定情報４７よりもユーザーの希望する印刷終了時刻Ｔ２を優先して、前記通常印刷モード４９の処理時間ｔよりも短い処理時間で記録が実行される。  
従って、当該高速印刷モード５１によって、通常印刷モード４９の実行時よりも画質等が落ちる状態になることが多いが、通常印刷モード４９では間に合わなかった当該印刷ジョブデータ４５の記録の実行がユーザーの希望する印刷終了時刻Ｔ２に間に合うようになり、インクジェットプリンター１の利便性が向上する。
【００４７】
一方、前記ステップＳ１０で印刷終了時刻Ｔ２よりも遅く記録の実行が終了しないと判断された場合には、ステップＳ１２に移行し、前記処理時間ｔが記録終了時刻Ｔ２と同じタイミングで記録の実行が終了する場合には通常印刷モード４９で、また前記印刷終了時刻Ｔ２よりも早く記録の実行が終了する場合には、前述した低速記録モード５３がそれぞれ選択されて記録の実行が行われるようになっている。これにより、記録実行動作が停止した状態の発生をできるだけ少なくするようになっている。
【００４８】
［実施例２］（図５参照）
実施例２に係るインクジェットプリンター１Ｂは、前記実施例１に係るインクジェットプリンター１Ａの構成に加えて、前記制御部４３において選択可能な記録モードとして、一つまたは複数の中間記録モード（以下「中間印刷モード」とも言う）５５を追加した構成になっている。  
従って、ここでは本実施例で新たに追加した中間印刷モード５５の構成と、該中間印刷モード５５を備えることによって付加された作用、効果を中心にして説明する。
【００４９】
即ち、本実施例では、前記制御部４３の終了時刻優先モード５０は、前記高速印刷モード５１と低速印刷モード５３に加えて、これらの中間の処理速度の一つまたは複数の中間印刷モード５５を備える構成が採用されている。  
そして、制御部４３では前記実施例１と同様、ユーザーの希望する印刷終了時刻Ｔ２と印刷ジョブデータ４５のデータ容量の大小に基づいて前記高速印刷モード５１と中間印刷モード５５と低速印刷モード５３とを切り換えて当該印刷ジョブデータ４５の記録が実行されるようになっている。
【００５０】
このようにして構成される実施例２に係るインクジェットプリンター１Ｂによっても、前記実施例１と同様の作用、効果が発揮される。また、本実施例では、中間印刷モード５５の採用によって、個々の印刷ジョブデータ４５の記録の実行に要する処理時間をより細かく調整できるようになり、ユーザーの希望する記録終了時刻Ｔ２に合わせて最適な処理速度で記録を実行できるようになる。
【００５１】
［他の実施例］
本発明に係る記録装置１は、以上述べたような構成を基本とするものであるが、本願発明の要旨を逸脱しない範囲内の部分的構成の変更や省略等を行うことも勿論可能である。
【００５２】
例えば、本発明の記録装置１は、大型のインクジェットプリンターに限らず、小型、中型のインクジェットプリンターに適用することが可能であり、更にはインクジェットプリンター以外のレーザープリンターや複写機、あるいはファクシミリ等の他の記録装置に適用することが可能である。  
従って、用紙Ｐもロール紙Ｒに限らず、単票紙でもよく、被記録材Ｐには、普通紙、専用紙、写真用の光沢紙の他、ポリエステルフィルム等の樹脂フィルム等が含まれる。また、被記録材Ｐの厚さには、例えば０．３〜１．３ｍｍというように種々の厚さが含まれる。
【符号の説明】
【００５３】
１  インクジェットプリンター（記録装置）、３  ロール紙ホルダー、
９  フランジ部、１３  軸部、１５  キャスター、１７  支持フレーム、
１９  プリンター本体（記録装置本体）、     ２１  キャリッジガイド軸、
２３  キャリッジ、２５  記録ヘッド（記録実行部）、２７  支持部材、
２９  搬送用ローラー、３５  サブフレーム、３６  サブフレーム、
３７  巻取り装置、４１  計時部、４３  制御部、４５  印刷ジョブデータ、
４７  設定情報、４９  通常記録モード、５１  高速記録モード、
５３  低速記録モード、５５  中間記録モード、Ｐ  用紙（被記録材）、
Ｒ  ロール紙（被記録材）、Ａ  搬送方向、Ｔ２  記録終了時刻、ＰＧ  ギャップ、
ｔ  処理時間
【図１】
2012213990.tif 000003
【図２】
2012213990.tif 000004
【図３】
2012213990.tif 000005
【図４】
2012213990.tif 000006
【図５】
2012213990.tif 000007